(57)【特許請求の範囲】
【請求項１】
入力される複数の画像データの各々を、可視表示媒体上に表示されている出力フォーマットの駒位置に配置する操作手段の操作毎に、配置された前記画像データを前記出力フォーマットの駒位置と共に記憶部に記憶し、
記憶した該複数の画像データと、該複数の画像データの可視表示媒体上での画像駒位置を示す出力フォーマットを指定する出力フォーマット指定信号とをレーザイメージャに出力する画像データ出力制御装置において、
前記出力フォーマットに対応した表示出力フォーマットと、前記表示出力フォーマット内の任意の駒位置に設定されるデータ出力表示とを表示する表示手段を有し、
入力される画像データが、前記データ出力表示が設定された駒位置に対応して前記記憶部に記憶された時に、それまでに記憶部に記憶した複数の画像データと前記出力フォーマット指定信号とを自動的にレーザイメージャに出力することを特徴とする画像データ出力制御装置。
【請求項２】
前記複数の画像データ及び前記出力フォーマット指定信号と共に、前記出力フォーマット中のどの位置に対応して複数の画像データが記憶されたかを示す位置対応信号を出力することを特徴とする請求項１に記載の画像データ出力制御装置。
【請求項３】
入力される複数の画像データの各々を、可視表示媒体上に表示されている出力フォーマットの駒位置に配置する操作手段の操作毎に、配置された前記画像データを前記出力フォーマットの駒位置と共に記憶部に記憶し、
記憶した該複数の画像データと、該複数の画像データの可視表示媒体上での画像駒位置を示す出力フォーマットを指定する出力フォーマット指定信号とをレーザイメージャに出力する画像データ出力制御方法において、
前記出力フォーマットに対応して表示出力フォーマットと、前記表示出力フォーマット内の任意の駒位置に設定されるデータ出力表示とを表示手段に表示し、
入力される画像データが、前記データ出力表示が設定された駒位置に対応して前記記憶部に記憶された時に、それまでに記憶部に記憶した複数の画像データと前記出力フォーマット指定信号とを自動的にレーザイメージャに出力することを特徴とする画像データ出力制御方法。
【請求項４】
前記複数の画像データ及び前記出力フォーマット指定信号と共に、前記出力フォーマット中のどの位置に対応して複数の画像データが記憶されたかを示す位置対応信号を出力することを特徴とする請求項３に記載の画像データ出力制御方法。
【発明の詳細な説明】
【０００１】
【発明の属する技術分野】
本発明は、画像データ発生装置、例えばＸ線ＣＴ、ＭＲＩ、ＤＲ等の医療用画像診断装置や画像データの記憶媒体、例えばＦＤ等から入力される複数駒の画像データを出力する画像データの出力制御装置又は出力方法に関する。
【０００２】
【従来の技術】
画像データ発生装置、例えば、Ｘ線ＣＴ、ＭＲＩ、ＤＲ等の医療用画像撮影装置によって撮影され発生された画像データは、レーザイメージャによって可視媒体であるフィルムに記録されたり、また、可視表示媒体である診断用のモニタリング装置に表示されたりして、診断用に用いられている。
【０００３】
ところで、画像データ発生装置によって発生された複数の画像データ（この場合、複数駒分の診断画像データ）を入力し、この複数の画像データを記憶し、記憶した複数の画像データと、該複数の画像データに対応した複数の画像駒の可視表示媒体上、例えばフィルム上での位置を示す出力フォーマットを指定する出力フォーマット指定信号（これは、操作手段によって指定される。）と共に出力する画像データ出力制御装置が知らされている。この種の画像データ出力制御装置で、前述の出力フォーマットの中に含まれる予定の画像駒の数の分だけ、画像データが記憶されると、自動的に記憶した複数の画像データと出力フォーマット指定信号とを出力するものが知られている。この出力された複数の画像データと出力フォーマット指定信号は、レーザイメージャや診断用モニタリング装置に送られ、複数の画像データは可視表示媒体上で同送された出力フォーマット指定信号の出力フォーマット（例を、図８に示す。）で可視表示される。
【０００４】
【発明が解決しようとする課題】
しかしながら、この従来の画像データ出力制御装置では、操作手段によって出力フォーマットが指定されると、予定の画像駒の数の分だけ画像データが記憶されなければ、画像データ出力制御装置からの画像データの出力は行われず、画像データの出力のタイミングに自由度がないといった問題があった。
【０００５】
本発明の目的は、上記の課題を鑑み、画像データ発生装置によって発生された複数の画像データを入力し、この複数の画像データを記憶し、記憶した複数の画像データと、該複数の画像データに対応した複数の画像駒の可視表示媒体上での位置を示す出力フォーマットを指定する出力フォーマット指定信号とを共に出力する画像データ出力制御装置おいて、複数の画像データの出力のタイミングに自由度がある画像データ出力制御装置、及び画像データ出力制御方法を提供することである。
【０００６】
【課題を解決するための手段】
前記目的は、以下の構成によって達成される。
【０００７】
（１）  入力される複数の画像データの各々を、可視表示媒体上に表示されている出力フォーマットの駒位置に配置する操作手段の操作毎に、配置された前記画像データを前記出力フォーマットの駒位置と共に記憶部に記憶し、
記憶した該複数の画像データと、該複数の画像データの可視表示媒体上での画像駒位置を示す出力フォーマットを指定する出力フォーマット指定信号とをレーザイメージャに出力する画像データ出力制御装置において、
前記出力フォーマットに対応した表示出力フォーマットと、前記表示出力フォーマット内の任意の駒位置に設定されるデータ出力表示とを表示する表示手段を有し、
入力される画像データが、前記データ出力表示が設定された駒位置に対応して前記記憶部に記憶された時に、それまでに記憶部に記憶した複数の画像データと前記出力フォーマット指定信号とを自動的にレーザイメージャに出力することを特徴とする画像データ出力制御装置。
【０００９】
（２）  前記複数の画像データ及び前記出力フォーマット指定信号と共に、前記出力フォーマット中のどの位置に対応して複数の画像データが記憶されたかを示す位置対応信号を出力することを特徴とする（１）に記載の画像データ出力制御装置。
【００１０】
（３）  入力される複数の画像データの各々を、可視表示媒体上に表示されている出力フォーマットの駒位置に配置する操作手段の操作毎に、配置された前記画像データを前記出力フォーマットの駒位置と共に記憶部に記憶し、
記憶した該複数の画像データと、該複数の画像データの可視表示媒体上での画像駒位置を示す出力フォーマットを指定する出力フォーマット指定信号とをレーザイメージャに出力する画像データ出力制御方法において、
前記出力フォーマットに対応して表示出力フォーマットと、前記表示出力フォーマット内の任意の駒位置に設定されるデータ出力表示とを表示手段に表示し、
入力される画像データが、前記データ出力表示が設定された駒位置に対応して前記記憶部に記憶された時に、それまでに記憶部に記憶した複数の画像データと前記出力フォーマット指定信号とを自動的にレーザイメージャに出力することを特徴とする画像データ出力制御方法。
【００１２】
（４）  前記複数の画像データ及び前記出力フォーマット指定信号と共に、前記出力フォーマット中のどの位置に対応して複数の画像データが記憶されたかを示す位置対応信号を出力することを特徴とする（３）に記載の画像データ出力制御方法。
【００１３】
【発明の実施の形態】
以下、図面を用いて本発明の実施の形態を詳細に説明する。ただし、本発明の実施の形態は、以下の実施の形態のみに限定されない。特に以下の実施の形態においては、医療診断用の画像データの取り扱いについて記載されるが、これに限定されないことは言うまでもない。
【００１４】
図１は医療用画像診断装置１とプリント制御装置１０とレーザイメージャ３からなるシステムの構成図である。
【００１５】
医療用画像診断装置１は、例えばＸ線ＣＴ、ＭＲＩ、ＤＲ等の画像診断装置であって、患者についての診断画像を撮影するものである。医療用画像診断装置１から出力された撮影された画像データはアナログまたはディジタルの信号としてプリント制御装置１０に入力される。
【００１６】
プリント制御装置１０は、入力部２１、記憶部２２、出力部２３、制御部２４、及び操作・表示部４を有し、医療用画像診断装置１から出力された複数の画像データを入力し、この複数の画像データを記憶し、記憶した複数の画像データと、該複数の画像データに対応した複数の画像駒の可視表示媒体上で、この場合はレーザイメージャ３によって記録の行われるフィルム上での位置を示す出力フォーマットを指定する出力フォーマット指定信号と出力フォーマット中のどの位置に対応して複数の画像データが記憶されたかを示す位置対応信号とを共に出力する。
【００１７】
ここで、上記のプリント制御装置１０の各部の説明をする。入力部２１は、操作・表示部４からの医療用画像診断装置１から出力された画像データを取り込めという指示に基づいて制御部２４から送られる画像データ入力指示指令信号を受けると、医療用画像診断装置１から出力された画像データを入力し、該画像データを記憶部２２へ送信する。記憶部２２は、複数の画像データを記憶する能力を有する記憶手段を備えており、入力部２１から送信された画像データを記憶する。記憶部２２は、操作・表示部４からのレーザイメージャ３への画像データの送信の指示に基づいて制御部２４から送られる画像データ送信指示指令信号を受けると、後述する操作・表示部４の情報表示・操作モニター４４の表示出力フォーマット上の駒位置表示４４１２に対応して記憶されている複数の画像データを出力部２３へ送る。上記の記憶手段は、入力部２１から送信された複数の画像データを出力部２３へ送るために複数の画像データを一時的に記憶し、送信後は画像データが消去されるようなものであってもよいし、入力部２１から送信された複数の画像データをその記憶容量の範囲内で記憶するものであってもよい。出力部２３は、記憶部２２から送信された複数の画像データをレーザイメージャ３へ送信する。制御部２４は、上述のように入力部２１への画像データ入力指示指令信号の送信、記憶部２２への画像データ送信指示指令信号の送信を行い、更に出力フォーマット指定信号と出力フォーマット中のどの位置に対応して複数の画像データが記憶されたかを示す位置対応信号とをレーザイメージャ３へ送信する。制御部２４は、この出力フォーマット指定信号と位置対応信号とをレーザイメージャ３へ送るタイミングと、出力部２３が複数の画像データをレーザイメージャ３へ送るタイミングとが同期するように出力部２３を制御する。操作・表示部４の機能については、後述の図３の説明の中で詳述する。
【００１８】
レーザイメージャ３は、プリント制御装置１０から送信された複数の画像データと出力フォーマット指定信号と位置対応信号とを基にして、この出力フォーマット指定信号に対応した出力フォーマットでかつ位置対応の対応の取れた状態で送信された複数の画像データに対応した複数の画像駒のフィルム上への露光による書き込み（プリント）を行うものである。
【００１９】
ところで、本発明の実施の形態においては、画像駒の可視表示媒体としては処理液による現像を必要とするフィルムが用いられているが、これに限らず液現像を必要としない熱溶融や熱昇華で画像を形成するタイプのフィルムや、インクジェット用のペーパー、その他、さまざまなタイプのハードコピーの画像記録媒体を用いることができ、また、ＣＲＴや液晶等の電子表示モニターを用いてもよい。
【００２０】
図２は、レーザイメージャ３の概略構成を示す模式図である。
【００２１】
図２は、レーザイメージャ３及びフィルムの自動現像機５を説明するものである。レーザイメージャ３は、信号の処理を主に行う、入力部３１、記憶部３２、再生部３３、フィルムへの露光を行う露光部３４及び制御部３５、未露光のフィルムＦが収納されるサプライマガジン３６１が装填され、露光部３４への未露光のフィルムＦ（様々なサイズ及び種類がある。）の供給が行われる未露光のフィルム供給部３６、露光部３４で露光の行われた露光済のフィルムＦが収容されるレシーブマガジン３８１が装填されるレシーブマガジン装填部３８を備えている。
【００２２】
入力部３１はプリント制御装置１０から送信された複数の画像データを入力し、この複数の画像データを記憶部３２へ送る。記憶部３２は、複数の画像データを記憶する能力を有する記憶手段が設けられており、入力部３１から送られてくる画像データを記憶する。制御部３５は、プリント制御装置１０から送信された出力フォーマット指定信号と位置対応信号とを受けて、記憶部３２に記憶されているこの信号と同期して送られた複数の画像データを再生部３３へ送らせ、それと同期して上記の出力フォーマット指定信号と位置対応信号とを再生部３３へ送信する。複数の画像データと出力フォーマット指定信号と位置対応信号とを受けた再生部３３は、この出力フォーマット指定信号に対応した指定された出力フォーマットでかつ位置対応の取れた状態で、つまり指定されたフィルム上での画像駒の位置で複数の画像データが再生されるように複数の画像データを整える。このとき、サプライマガジン３６１に収納されている未露光のフィルムＦのサイズ及び／又は種類検出手段（図示せず）からの検出信号が制御部３５を経由して再生部３３に送られているので、複数の画像データはこの検出信号をも加味したうえで再生される。そして、再生された再生データは、露光部３４に送られ、露光部３４に備えられた像様光発生手段３４１から像様の光として出力される。像様光発生手段３４１としては、レーザー光を発生するものが好ましく用いられる。出力された像様光は、ミラー３４２１やレンズ３４２２等からなる光学系３４２を介して未露光のフィルム供給部３６から供給された未露光フィルムＦに露光位置３４３で露光される。露光の済んだフィルムＦは、レシーブマガジン装填部３８のレシーブマガジン３８１に収納される。レシーブマガジン３８１に収容された露光済のフィルムＦは、レシーブマガジン３８１がレーザイメージャ３から取り出されたあとで、図示しないフィルム自動現像機によって現像処理される。
【００２３】
また、レーザイメージャ３にはフィルム自動現像機５を接続することもでき、その場合、未露光のフィルムＦは露光されてフィルム自動現像機５に搬送され、自動現像されて取出口５１に送り出される。
【００２４】
図３は操作・表示部４の外観を示す模式図である。
【００２５】
操作・表示部４は、ストアキー４１、プリントキー４２、カーソルキー４３の操作用のキーを設け、タッチスクリーンからなる情報表示及び操作用の情報表示・操作モニター４４を設けてある。操作用の各キーの操作による指示信号が制御部２４に与えられる。ストアキー４１を押圧することにより、医療用診断装置１から画像データを取り込めと言う指示が制御部２４に送られ、プリントキー４２を押圧することにより、記憶部２２に記憶されている複数の画像データをプリント制御装置１０から出力せよという指示が制御部２４に送られる。カーソルキー４３を情報表示・操作モニター４４の操作については、後で詳述する。制御部２４からの各種の情報は情報表示・操作モニター４４に表示される。
【００２６】
なお、表示・操作部４はプリント制御装置１０と別体に構成してもまた一体的に構成しても良い。別体にすることにより操作装置４の配置の自由度が増す。この場合、プリント制御装置１０をレーザイメージャ３と一体的に構成しても良い。一体化すると別体の場合よりも設置スペースを縮小することができる。
【００２７】
情報表示・操作モニター４４が操作器として使用される際に、操作キーも表示されＧＵＩ（ｇｒａｐｈｉｃ  ｕｓｅｒ  ｉｎｔｅｒｆａｃｅ）が情報表示・操作モニター４４に表示される。かかるＧＵＩとしては、医療用画像診断装置１から画像データを取り込むストア操作、複数の画像データをプリント制御装置１０から出力するプリント操作を行う通常画面と、出力フォーマットを設定するための表示出力フォーマット設定画面等がある。
【００２８】
図４は情報表示・操作モニターの通常画面を示した図であり、図５は表示出力フォーマット設定画面を示した図である。
【００２９】
これから、主に図４〜図７を基にプリント制御装置からの複数の画像データと出力フォーマット指定信号と位置対応信号との出力のタイミングについて説明する。
【００３０】
まず、図４について説明する。４４１は表示出力フォーマットである。表示出力フォーマット４４１は、図６に示されるようにいくつかのパターンがプリント制御装置１０の制御部２４に用意されている。図６に示す表示出力フォーマット４４１は、図４中の表示出力フォーマット４４１とは駒位置表示の個数が異なるのみであり、図４中の表示出力フォーマット４４１と同じ目的の基に用いられる。図４の表示出力フォーマット４４１上の駒位置表示４４１２（４４１中の１〜１２の番号が付された□）は、プリント制御装置１０から出力される複数の画像データを基にしてレーザイメージャ３でフィルムＦに記録されるこの複数の画像データに対応した画像駒のフィルムＦでの位置（出力フォーマット）とが対応している。駒位置表示４４１２のうち、１，２の番号が付された駒位置表示４４１２は斜線表示されているが、この１，２の番号が付された駒位置表示４４１２に対応して医療用画像診断装置１からの画像データがプリント制御装置１０の記憶部２２に記憶されていることを示している。３の番号が付された駒位置表示４４１２にカーソル４４１１が表示されているが、前述のストアキー４１を押圧すると、この駒位置表示４４１２に対応して医療用画像診断装置１から画像データがプリント制御装置１０の記憶部２２に記憶される。このとき、制御部２４は、３の番号が付された駒位置表示４４１２に対応して画像データが記憶されたことを記憶する、つまり、制御部２４は、表示出力フォーマット４４１上の駒位置表示４４１２と画像駒のフィルムＦでの位置とは上述のように対応するので、出力フォーマット中のどの位置に対応して画像データが記憶されたかを順次記憶することになり、この記憶データを基に位置対応信号を形成する。プリント制御装置１０の記憶部２２に記憶されると、３の番号が付された駒位置表示４４１２は斜線表示され、カーソル４４１１は４の番号が付された駒位置表示４４１２に移動する。そして、ストアキー４１の押圧毎にこの動作が繰り返される。つまり、カーソル４４１１はある番号の駒位置表示４４１２にあると（プリント制御装置起動時や、プリント制御装置からの複数の画像データと出力フォーマット指定信号と位置対応信号とが出力された後で、ストアーキー４１が押されていない状態では、カーソル４４１１は１の番号が付された駒位置表示４４１２にある。）、プリント制御装置１０の記憶部２２への画像データの記憶毎にその番号の次に大きな番号の駒位置表示４４１２に順次移動し、最終的には（後述するモード２に設定されていない状態や、プリントキーが押されていない状態では）１２の番号が付された駒位置表示４４１２に移動する。また、カーソル４４１１は、図３で示したカーソル４３を操作することにより任意の位置の駒位置表示４４１２に移動され、例えば図４で３の番号が付された駒位置表示４４１２にあるカーソル４４１１を５の番号が付された駒位置表示４４１２に移動させることもできる。そして、５の番号が付された駒位置表示４４１２での画像データ記憶が行われると上述のように、カーソル４４１１は６の番号が付された駒位置表示４４１２に移動する。
【００３１】
ところで、プリント制御装置１０からの複数の画像データと出力フォーマット指定信号と位置対応信号の出力のタイミングには、主に３つのタイミングがある。それを図７のフローチャートを用いて説明する。このフローは、プリント制御装置１０に主に制御部２４で実施される。
【００３２】
まず、（Ｓ１）でプリントキー４２が押されたかが判断される。プリントキー４２が押されたと判断されると、（Ｓ４）で表示が行われている駒位置表示４４１２に対応してプリント制御装置１０の記憶部２２に記憶されている画像データがプリント制御装置１０の出力部から出力され、その出力フォーマット指定信号とその位置対応信号とが制御部２４から出力される。そして、それらはレーザイメージャ３に送信される。（Ｓ１）でプリントキー４２が押されていないと判断されると、（Ｓ２）でモードの設定が１になっているかが判断される。
【００３３】
ここで、モードの設定について説明する。プリント制御装置１０には、モード１、モード２の２つのモードがあり、プリント制御装置１０起動時、つまり初期状態ではモードは、モード１に設定されている。モードをモード１からモード２に、またはモード２からモード１に設定するためには、図４のＦＯＲＭＡＴキー４４２を押し、情報表示・操作モニター４４の表示を図５の表示に切り換え、モード２設定用キー４４７Ａ、４４７Ｂを利用する。モード２設定用キー４４７Ａを押すと、モードはモード２に切り換えられ、４４７Ｂを押すとモード２は解除され、モードはモード１に切り換えられる。
【００３４】
さて、（Ｓ２）でモードの設定がモード１になっていると判断され、さらに（Ｓ３）で上述したようにカーソル４４１１が最後に画像データが対応して記憶される予定の１２の番号が付された駒位置表示４４１２に移動した状態で、ストアキー４１が押されたと判断されると、（Ｓ４）で上記と同様の動作が実行される（但し、（Ｓ４）で出力される複数の画像データの中には、１２の番号が付された駒位置表示４４１２に対応して記憶される画像データも含まれる。）。また、（Ｓ３）でカーソル４４１１が最後に画像データが対応して記憶される予定の１２の番号以外の番号が付された駒位置表示４４１２の位置に移動した状態で、ストアキー４１が押された判断されると、図７のフローが再度実行される。
【００３５】
（Ｓ２）でモードの設定がモード１になっていないと判断されると、つまりモードの設定が２になっていると判断されると、（Ｓ５）で図４のデータ出力表示４４１３が設定されているかを判断する。（Ｓ５）でデータ出力表示４４１３が設定されていないと判断されると、モード設定がモード１となっているとみなされ、（Ｓ３）へ進む。
【００３６】
ここで、データ出力表示４４１３について説明をする。図４のデータ出力表示４４１３は、情報表示・操作モニター４４の図５の表示画面で、設定され、駒位置表示４４１２中に表示される。データ出力表示４４１３の機能について説明すると、表示出力フォーマット４４１中の駒位置表示４４１２でデータ出力表示４４１３が表示されている駒位置表示４４１２にカーソル４４１１が移動した状態で、ストアキー４１が押されると表示が行われている駒位置表示４４１２に対応してプリント制御装置１０の記憶部２２に記憶されている画像データ（この中には、データ出力表示４４１３が表示されている駒位置表示４４１２に対応して記憶される画像データも含まれる。）がプリント制御装置１０の出力部から出力され、その出力フォーマット指定信号とその位置対応信号とが制御部２４から出力されることになる。データ出力表示４４１３の設定方法であるが、まずモードをモード２設定キーの４４７Ａを押し、モード２に設定し、データ出力表示設定キー４４８、４４９によって設定を行う。モード２に設定されていないと、データ出力表示の設定はできない。図５のＨ：Ｖの表示の右横の２つの四角は表示出力フォーマット４４１中の駒位置表示４４１２の位置をマトリッスによって表現するためのものである。図５では、３：２と表示されているが、これは表示出力フォーマット４４１中の駒位置表示４４１２の上から３行目、左から２列目、つまり図４の８の番号が付された駒位置表示４４１２の位置を表現している。また、例えば図４の８の番号が付された駒位置表示４４１２の位置を表現するためには、４：１と表示されるようにすればよい。この行と列の数字は、データ出力表示設定キー４４８、４４９を操作することにより上下させることができる。そして、図５の表示の設定を確定させるキーであるＯＫキーを押すことによりこのマトリックスで表現され設定される位置の表示出力フォーマット４４１中の駒位置表示４４１２中に、データ出力表示４４１３が表示され設定される。この状態で、始めて実質的にモードがモード２に設定されたことになる。ところで、モードをモード２に設定しただけでは、行と列の数字は０：０と表示されるのみであり、データ出力表示４４１３の設定表示はされないので、実質的にはモードはモード１に設定されたままの状態にあることを述べておく。尚、付加的な制御として、装置の利用者が、データ出力表示４４１３が設定されると不都合であると判断されるような特定の位置については、データ出力表示４４１３を設定できないような制御をしてもよいことを述べておく。
【００３７】
ここで、図５について更に説明を加えておく。図５の上部に記載されている複数のＸ×Ｙ表示（Ｘ、Ｙは数字。）は表示出力フォーマット４４１中の駒位置表示４４１２の位置配置を表現している。２×３の表示は、横方向に２つ、縦方向に３つの位置配置の表示出力フォーマット４４１（図６の（ａ）に相当する。）を表現している。つまり、Ｘは横方向配置数を、Ｙは縦方向配置数を示している。Ｘ×Ｙ表示選択キー４４４Ａ、４４４Ｂを操作することにより斜線表示が複数のＸ×Ｙ表示の中で左右に移動され、斜線表示のされている１つのＸ×Ｙ表示がされることになる。
【００３８】
さて、フローの説明に戻ると、（Ｓ５）でデータ出力表示４４１３が設定されていると判断されると、（Ｓ６）でデータ出力表示４４１３が表示されている駒位置表示４４１２にカーソル４４１１が移動した状態で、ストアキー４１が押された場合は、（Ｓ４）に進み上述の（Ｓ４）での処理が行われ、そうでは無い場合は再度フローが繰り返される。
【００３９】
以上のように、制御することによって画像データ発生装置によって発生された複数の画像データを入力し、この複数の画像データを記憶し、記憶した複数の画像データと、該複数の画像データに対応した複数の画像駒の可視表示媒体上での位置を示す出力フォーマットを指定する出力フォーマット指定信号とを共に出力する画像データ出力制御装置において、複数の画像データの出力のタイミングに自由度がある画像データ出力制御装置、及び画像データ出力方法が提供される。
【００４０】
【発明の効果】
請求項１、または請求項２に記載の発明は、上記構成を備えることにより、複数の画像データの出力のタイミングに自由度がある画像データ出力制御装置を提供することができる。
【００４１】
請求項３、または請求項４に記載の発明は、上記構成を備えることにより、複数の画像データの出力のタイミングに自由度がある画像データ出力制御方法を提供することができる。
【図面の簡単な説明】
【図１】医療用画像診断装置１とプリント制御装置１０とレーザイメージャ３からなるシステムの構成図である。
【図２】レーザイメージャ３の概略構成を示す模式図である。
【図３】操作・表示部４の外観を示す模式図である。
【図４】情報表示・操作モニターの通常画面を示した図である。
【図５】表示出力フォーマット設定画面を示した図である。
【図６】表示出力フォーマットである。
【図７】プリント制御装置からの複数の画像データと出力フォーマット指定信号と位置対応信号との出力タイミングを示すフローチャートである。
【図８】プリント制御装置からの複数の画像データである。
【符号の説明】
１  医療用画像診断装置
４  操作・表示部
１０  プリント制御装置
２１  入力部
２２  記憶部
２３  出力部
２４  制御部
４１  ストアキー
４２  プリントキー
４３  カーソルキー
４４  情報表示・操作モニター
４４１  表示出力フォーマット
４４４Ａ，４４４Ｂ  Ｘ×Ｙ表示選択キー
４４７Ａ  モード２設定用キー
４４８，４４９  データ出力表示設定キー
４４１１  カーソル
４４１２  駒位置表示
４４１３  データ出力表示
【図１】
0003738502.tif 000002
【図２】
0003738502.tif 000003
【図３】
0003738502.tif 000004
【図４】
0003738502.tif 000005
【図５】
0003738502.tif 000006
【図６】
0003738502.tif 000007
【図７】
0003738502.tif 000008
【図８】
0003738502.tif 000009